(57)【要約】【課題】空気調和機から冷媒漏れが生じたとき短時間に換気できる空気調和システムを提供する。【解決手段】空気調和システム１０は、空気調和機１１と、冷媒センサ２６と、換気装置１２と、コントローラとを備え、換気装置１２が、全熱交換器３２と、空調対象空間の内外を全熱交換器３２を経由して連通させる第１給気風路４７及び第１排気風路４６と、空調対象空間の内外を全熱交換器３２を経由せずに連通させる第２給気風路４８と、第１給気風路４７及び第２給気風路４８を介して空調対象空間外の空気を空調対象空間内に供給する給気ファン３４と、第１排気風路４６を介して空調対象空間内の空気を空調対象空間外へ排出する排気ファン３３と、第１給気風路４７と第２給気風路４８とを切り替えて開閉する給気用開閉機構５５とを備え、コントローラ３６は、冷媒センサ２６が冷媒の漏洩を検出したとき第２給気風路４８を開くように給気用開閉機構５５を制御する。【選択図】図６
2020186820.tif 000002
【特許請求の範囲】
【請求項１】
冷媒との熱交換により調和空気を生成し空調対象空間に供給する空気調和機（１１）と、前記冷媒の漏れを検出する冷媒センサ（２６）と、前記空調対象空間の換気を行う換気装置（１２）と、前記換気装置（１２）を制御するコントローラと、を備え、
前記換気装置（１２）が、全熱交換器（３２）と、前記空調対象空間の内部と外部とを前記全熱交換器（３２）を経由して連通させる第１給気風路（４７）及び第１排気風路（４６）と、前記空調対象空間の内部と外部とを前記全熱交換器（３２）を経由せずに連通させる第２給気風路（４８）と、前記第１給気風路（４７）及び前記第２給気風路（４８）を介して前記空調対象空間外の空気を前記空調対象空間内に供給する給気ファン（３４）と、前記第１排気風路（４６）を介して前記空調対象空間内の空気を前記空調対象空間外へ排出する排気ファン（３３）と、前記第１給気風路（４７）と前記第２給気風路（４８）とを切り替えて開閉する給気用開閉機構（５５）と、を備え、
前記コントローラ（３６）は、前記冷媒センサ（２６）が冷媒の漏洩を検出したとき、前記第２給気風路（４８）を開くように前記給気用開閉機構（５５）を制御する、空気調和システム。
【請求項２】
前記換気装置（１２）が、前記空調対象空間の内部と外部とを前記全熱交換器（３２）を経由せずに連通させかつ前記排気ファン（３３）により前記空調対象空間内の空気を前記空調対象空間外へ排出させる第２排気風路（４９）と、前記第１排気風路（４６）及び前記第２排気風路（４９）を切り替えて開閉する排気用開閉機構（５６）とを備え、
前記コントローラは、前記冷媒センサ（２６）が冷媒の漏洩を検出したとき、前記第２排気風路（４９）を開くように前記排気用開閉機構（５６）を制御する、請求項１に記載の空気調和システム。
【請求項３】
冷媒との熱交換により調和空気を生成し空調対象空間に供給する空気調和機（１１）と、前記冷媒の漏れを検出する冷媒センサ（２６）と、前記空調対象空間の換気を行う換気装置（１２）と、前記換気装置（１２）を制御するコントローラと、を備え、
前記換気装置（１２）が、全熱交換器（３２）と、前記空調対象空間の内部と外部とを前記全熱交換器（３２）を経由して連通させる第１給気風路（４７）及び第１排気風路（４６）と、前記空調対象空間の内部と外部とを前記全熱交換器（３２）を経由せずに連通させる第２排気風路（４９）と、前記第１給気風路（４７）を介して前記空調対象空間外の空気を前記空調対象空間内に供給する給気ファン（３４）と、前記第１排気風路（４６）及び前記第２排気風路（４９）を介して前記空調対象空間内の空気を前記空調対象空間外へ排出する排気ファン（３３）と、前記第１排気風路（４６）と前記第２排気風路（４９）とを切り替えて開閉する排気用開閉機構（５６）と、を備え、
前記コントローラは、前記冷媒センサ（２６）が冷媒の漏洩を検出したとき、前記第２排気風路（４９）を開くように前記排気用開閉機構（５６）を制御する、空気調和システム。
【発明の詳細な説明】
【技術分野】
【０００１】
本開示は、空気調和システムに関する。
【背景技術】
【０００２】
特許文献１には、蒸気圧縮式の冷凍サイクルによって空調対象空間である室内の空調を行う空気調和機と、空調対象空間の換気を行う換気装置とを備えた空気調和システムが記載されている。この換気装置は、給気風路及び排気風路を有する筐体と、筐体の内部に設けられた全熱交換器、給気ファン、及び排気ファンとを備えている。全熱交換器は、給気ファンによって給気風路を流れる空気と、排気ファンによって排気風路を流れる空気とを全熱交換する。
【先行技術文献】
【特許文献】
【０００３】
【特許文献１】特開２０１５−１４３５９３号
【発明の概要】
【発明が解決しようとする課題】
【０００４】
上記のような空気調和システムにおいて、空気調和機から冷媒が漏れた場合には、短時間で冷媒を室外へ排出することが望ましい。しかし、特許文献１に記載された空気調和システムでは、冷媒の漏れについて特に考慮されていない。
【０００５】
本開示は、空気調和機から冷媒漏れが生じたときに空調対象空間外へ短時間に冷媒を排出することができる空気調和システムを提供することを目的とする。
【課題を解決するための手段】
【０００６】
（１）本開示の空気調和システムは、
冷媒との熱交換により調和空気を生成し空調対象空間に供給する空気調和機と、前記冷媒の漏れを検出する冷媒センサと、前記空調対象空間の換気を行う換気装置と、前記換気装置を制御するコントローラと、を備え、
前記換気装置が、全熱交換器と、前記空調対象空間の内部と外部とを前記全熱交換器を経由して連通させる第１給気風路及び第１排気風路と、前記空調対象空間の内部と外部とを前記全熱交換器を経由せずに連通させる第２給気風路と、前記第１給気風路及び前記第２給気風路を介して前記空調対象空間外の空気を前記空調対象空間内に供給する給気ファンと、前記第１排気風路を介して前記空調対象空間内の空気を前記空調対象空間外へ排出する排気ファンと、前記第１給気風路と前記第２給気風路とを切り替えて開閉する給気用開閉機構と、を備え、
前記コントローラは、前記冷媒センサが冷媒の漏洩を検出したとき、前記第２給気風路を開くように前記給気用開閉機構を制御する。
【０００７】
以上の構成によれば、空気調和機から漏れた冷媒は、空調対象空間内の空気とともに第１排気風路を流れ、全熱交換器を経由して空調対象空間外へ排出されるが、空調対象空間外の空気は第２給気風路を流れ全熱交換器を経由せずに空調対象空間内へ給気されるので、全熱交換器において冷媒が給気とともに空調対象空間側へ戻ってしまうことがなく、空調対象空間外へ短時間に冷媒を排出することができる。
【０００８】
（２）好ましくは、前記換気装置が、前記空調対象空間の内部と外部とを前記全熱交換器を経由せずに連通させかつ前記排気ファンにより前記空調対象空間内の空気を前記空調対象空間外へ排出させる第２排気風路と、前記第１排気風路及び前記第２排気風路を切り替えて開閉する排気用開閉機構とを備え、
前記コントローラは、前記冷媒センサが冷媒の漏洩を検出したとき、前記第２排気風路を開くように前記排気用開閉機構を制御する。
このような構成によって、空調対象空間内から空調対象空間外への排気と、空調対象空間外から空調対象空間内への給気との双方が全熱交換器を経由しないので、空調対象空間内から排出された冷媒が再び空調対象空間内へ戻ってしまうことがなく、空調対象空間外へ短時間に冷媒を排出することができる。
【０００９】
（３）本開示の空気調和システムは、冷媒との熱交換により調和空気を生成し空調対象空間に供給する空気調和機と、前記冷媒の漏れを検出する冷媒センサと、前記空調対象空間の換気を行う換気装置と、前記換気装置を制御するコントローラと、を備え、
前記換気装置が、全熱交換器と、前記空調対象空間の内部と外部とを前記全熱交換器を経由して連通させる第１給気風路及び第１排気風路と、前記空調対象空間の内部と外部とを前記全熱交換器を経由せずに連通させる第２排気風路と、前記第１給気風路を介して前記空調対象空間外の空気を前記空調対象空間内に供給する給気ファンと、前記第１排気風路及び前記第２排気風路を介して前記空調対象空間内の空気を前記空調対象空間外へ排出する排気ファンと、前記第１排気風路と前記第２排気風路とを切り替えて開閉する排気用開閉機構と、を備え、
前記コントローラは、前記冷媒センサが冷媒の漏洩を検出したとき、前記第２排気風路を開くように前記排気用開閉機構を制御する。
【００１０】
以上の構成によれば、空気調和機から漏れた冷媒は、空調対象空間内の空気とともに第２排気風路を流れ、全熱交換器を経由せずに空調対象空間外へ排出されるので、全熱交換器において冷媒が給気とともに空調対象空間側へ戻ってしまうことがなく、空調対象空間外へ短時間に冷媒を排出することができる。
【図面の簡単な説明】
【００１１】
【図１】第１の実施形態に係る空気調和システムの概略的な構成図である。
【図２】第１換気運転を行う換気装置を上から見た概略的な断面説明図である。
【図３】図２のＡ−Ａ線における概略的な断面説明図である。
【図４】図２のＢ−Ｂ線における概略的な断面説明図である。
【図５】全熱交換器の斜視図である。
【図６】第２換気運転を行う換気装置を上から見た概略的な断面説明図である。
【図７】図６のＣ−Ｃ線における概略的な断面説明図である。
【図８】第２の実施形態に係る空気調和システムの、第２換気運転を行う換気装置を上から見た概略的な断面説明図である。
【図９】第３の実施形態に係る空気調和システムの、第２換気運転を行う換気装置を上から見た概略的な断面説明図である。
【発明を実施するための形態】
【００１２】
以下、添付図面を参照しつつ、本開示の実施形態を詳細に説明する。
［第１実施形態］
図１は、第１の実施形態に係る空気調和システムの概略的な構成図である。
本開示の空気調和システム１０は、空気調和機１１と、換気装置１２とを備えている。空気調和機１１は、室外機２１と室内機２２とを備えている。室内機２２と換気装置１２とは、部屋Ｒの天井裏のスペースＳ３に設置されている。ただし、室内機２２及び換気装置１２は、部屋Ｒの壁、床の上、天井の下等に設置されていてもよい。室内機２２と換気装置１２とは、部屋Ｒの同じ場所に限らず、別々の場所に設置されていてもよい。
【００１３】
（空気調和機の構成）
空気調和機１１は、圧縮機、熱交換器、膨張弁等を含む冷媒回路により蒸気圧縮式の冷凍サイクルを行うことによって、部屋Ｒの内部である室内空間（空調対象空間）Ｓ１の空気の温度を調整する。室外機２１と室内機２２とは冷媒回路を構成する冷媒配管２３で接続されている。室内機２２は、室内空間Ｓ１の空気を取り込み、その空気と冷媒との間で熱交換を行い、温度調整された調和空気を再び室内空間Ｓ１に吹き出すことによって、室内空間Ｓ１の温度を所望に調整する。
【００１４】
室内機２２は、コントローラ２４と、リモートコントローラ２５と、冷媒センサ２６とを備えている。
コントローラ２４（以下、「空調コントローラ」ともいう）は、室内機２２に収容されたファン、電動弁等の動作を制御する。空調コントローラ２４は、例えば、ＣＰＵ等のプロセッサ、ＲＡＭ、ＲＯＭ等のメモリを備えたマイクロコンピュータにより構成される。空調コントローラ２４は、メモリにインストールされたプログラムをプロセッサが実行することによって、所定の機能を発揮する。空調コントローラ２４は、後述する換気装置１２のコントローラ３６にも通信可能に接続されている。なお、空調コントローラ２４は、室外機２１に設けられていてもよいし、室外機２１及び室内機２２の双方に設けられていてもよい。
【００１５】
リモートコントローラ２５は、運転開始／運転停止の操作や、室内の温度、送風の強弱等の動作設定を行うために用いられる。リモートコントローラ２５は、室内機２２の空調コントローラ２４に有線又は無線で通信可能に接続されている。ユーザは、リモートコントローラ２５を使用することによって、遠隔で空気調和機１１を操作することができる。
【００１６】
冷媒センサ２６は、冷媒回路の冷媒配管等から漏洩した冷媒を検知する。冷媒センサ２６の検出信号は、空調コントローラ２４に入力される。冷媒センサ２６は、室内機２２の筐体内に設けられている。ただし、冷媒センサ２６は、室内機２２の筐体外に設けられていてもよい。冷媒センサ２６は、例えば、室内機２２に接続されたリモートコントローラ２５に設けられていてもよい。
【００１７】
（換気装置１２の構成）
換気装置１２は、室内空間Ｓ１の換気を行う。換気装置１２は、空気調和機１１（図１を参照）と連動して、あるいは、単独で運転される。換気装置１２は、ダクト４５ａ〜４５ｄを介して室外空間Ｓ２及び室内空間Ｓ１と接続されている。
【００１８】
図２は、第１換気運転を行う換気装置を上から見た概略的な断面説明図である。図３は、図２のＡ−Ａ線における概略的な断面説明図である。図４は、図２のＢ−Ｂ線における概略的な断面説明図である。なお、本明細書において、「第１換気運転」とは、後述するように、冷媒漏洩がない通常の室内空間Ｓ１の換気運転のことであり、「第２換気運転」とは、冷媒の漏洩に対応した換気運転のことである。
【００１９】
換気装置１２は、略直方体の箱形状を有するケーシング３１を有する。ケーシング３１内には、全熱交換器３２と、排気ファン３３と、給気ファン３４と、開閉機構３５と、コントローラ３６とが収容されている。ケーシング３１には、還気取入口４１、排気吹出口４２、外気取入口４３、及び、給気吹出口４４が設けられている。
【００２０】
還気取入口４１は、室内空間Ｓ１からの空気（還気）ＲＡをケーシング３１内に取り入れるために用いられる。排気吹出口４２は、ケーシング３１内に取り入れられた還気ＲＡを、排気ＥＡとして室外空間Ｓ２に排出するために用いられる。外気取入口４３は、室外空間Ｓ２からの空気（外気）ＯＡをケーシング３１内に取り入れるために用いられる。給気吹出口４４は、ケーシング３１内に取り入れられた外気ＯＡを、給気ＳＡとして室内空間Ｓ１に供給するために用いられる。
【００２１】
図１に示すように、外気取入口４３と排気吹出口４２とは、それぞれダクト４５ａ，４５ｂを介して室外空間Ｓ２に繋がっている。還気取入口４１と給気吹出口４４とは、ダクト４５ｃ，４５ｄを介して室内空間Ｓ１に繋がっている。
【００２２】
図２に示すように、ケーシング３１の内部において、還気取入口４１から取り入れられた還気ＲＡは全熱交換器３２を通過し、排気ＥＡとして排気吹出口４２から室外空間Ｓ２へ排気される。以下、この空気の流れを「第１の空気流Ｆ１」ともいう。
外気取入口４３から取り入れられた外気ＯＡは全熱交換器３２を通過し、給気ＳＡとして給気吹出口４４から室内空間Ｓ１へ供給される。以下、この空気の流れを「第２の空気流Ｆ２」ともいう。
【００２３】
図５は、全熱交換器の斜視図である。
本実施形態における全熱交換器３２は、第１の空気流Ｆ１と、第２の空気流Ｆ２とがほぼ直交するように構成された直交型の全熱交換器である。この全熱交換器３２は、仕切板３２ａと、隔壁板３２ｂとを有している。仕切板３２ａと隔壁板３２ｂとは適宜の接着剤により交互に積層されている。全熱交換器３２は、全体としてほぼ四角柱形状に形成されている。
【００２４】
仕切板３２ａは、伝熱性及び透湿性を有し、平板状に形成されている。仕切板３２ａは、冷媒を透過する性質をも有している。
隔壁板３２ｂは、ほぼ三角形状の断面が連続して形成された波板状に形成されている。隔壁板３２ｂは、隣り合う２枚の仕切板３２ａの間に空気の通路を形成する。隔壁板３２ｂは、仕切板３２ａと隔壁板３２ｂとの積層方向（図５における上下方向）で１枚ごとに９０度角度を変えて積層されている。これにより、１枚の仕切板３２ａを挟んでその両側に、第１の空気流Ｆ１を通すための排気側通路３２ｃと第２の空気流Ｆ２を通すための給気側通路３２ｄとが互いに直交して形成される。排気側通路３２ｃを流れる空気と、給気側通路３２ｄを流れる空気とは、伝熱性及び透湿性を有する仕切板３２ａを介して顕熱及び潜熱の交換（全熱交換）が行われるようになっている。
【００２５】
図２〜図４に示すように、ケーシング３１の内部は、全熱交換器３２によって室内空間Ｓ１側と室外空間Ｓ２側との２つの領域に区画されている。図２及び図３に示すように、ケーシング３１内には、全熱交換器３２よりも第１の空気流Ｆ１の上流側に上流側排気風路４６ａが形成され、全熱交換器３２よりも第１の空気流Ｆ１の下流側に下流側排気風路４６ｂが形成されている。上流側排気風路４６ａと下流側排気風路４６ｂとによって、室内空間Ｓ１（図１参照）と室外空間Ｓ２（図１参照）とを全熱交換器３２を経由して連通させる第１排気風路４６が構成される。
【００２６】
図２及び図４に示すように、ケーシング３１内には、全熱交換器３２よりも第２の空気流Ｆ２の上流側に上流側給気風路４７ａが形成され、全熱交換器３２よりも第２の空気流Ｆ２の下流側に下流側給気風路４７ｂが形成されている。上流側給気風路４７ａと下流側給気風路４７ｂとによって、室内空間Ｓ１と室外空間Ｓ２とを全熱交換器３２を経由して連通させる第１給気風路４７が構成されている。
【００２７】
図３及び図４に示すように、上流側排気風路４６ａと下流側給気風路４７ｂとの間には、区画壁５１が設けられている。下流側排気風路４６ｂと上流側給気風路４７ａとの間には、区画壁５２が設けられている。
【００２８】
図２及び図３に示すように、下流側排気風路４６ｂにおいて、排気吹出口４２の近傍には排気ファン３３が配置されている。この排気ファン３３が駆動されることによって第１の空気流Ｆ１が生成され、室内空間Ｓ１からの還気ＲＡが第１排気風路４６を通り排気ＥＡとして室外空間Ｓ２に排出される。
【００２９】
図２及び図４に示すように、下流側給気風路４７ｂにおいて、給気吹出口４４の近傍には給気ファン３４が配置されている。この給気ファン３４が駆動されることによって第２の空気流Ｆ２が生成され、室外空間Ｓ２の外気ＯＡが第１給気風路４７を通り、給気ＳＡとして室内空間Ｓ１に供給される。
【００３０】
図２に示すように、本実施形態のケーシング３１内には、第２給気風路４８と、開閉機構３５とが設けられている。
第２給気風路４８は、外気取入口４３と給気吹出口４４との間に形成され、両者を連通している。第２給気風路４８と、上流側給気風路４７ａ及び全熱交換器３２とは、隔壁５３によって区画されている。第２給気風路４８は、室内空間Ｓ１と室外空間Ｓ２とを全熱交換器３２を経由せずに連通している。第２給気風路４８の下流側は、下流側給気風路４７ｂと合流している。
【００３１】
開閉機構３５は、第１給気風路４７と第２給気風路４８とを切り替えて開閉する給気用ダンパ（給気用開閉機構）５１を有している。給気用ダンパ５５は、例えば、隔壁５３に揺動自在に取り付けられている。給気用ダンパ５５は、図示していないモータによって駆動される。給気用ダンパ５５は、第１給気風路４７を開いて外気取入口４３と連通させ、第２給気風路４８を外気取入口４３に対して閉じる第１態様と、第２給気風路４８を開いて外気取入口４３と連通させ、第１給気風路４７を外気取入口４３に対して閉じる第２態様とを切り替える。
【００３２】
図６は、第２換気運転を行う換気装置を上から見た概略的な断面説明図である。図７は、図６のＣ−Ｃ線における概略的な断面説明図である。
給気用ダンパ５５を第１態様に切り替えたとき、図２に示すように、外気取入口４３から第１給気風路４７を通る第２の空気流Ｆ２と、還気取入口４１から第１排気風路４６を通る第１の空気流Ｆ１とは、ともに全熱交換器３２を通過し、両者の空気の間で顕熱及び潜熱の交換が行われる。これに対して、給気用ダンパ５５を第２態様に切り替えたとき、図６及び図７に示すように、外気取入口４３から第２給気風路４８を通る空気流（第３の空気流）Ｆ３と、還気取入口４１から第１排気風路４６を通る第１の空気流Ｆ１との間では熱交換が行われない。
【００３３】
図１に示すように、換気装置１２のコントローラ３６（以下、換気コントローラともいう）は、排気ファン３３、給気ファン３４、及び開閉機構３５（給気用ダンパ５５）の動作を制御する。換気コントローラ３６は、図２に示すように、ケーシング３１が有する制御ボックス３７内に収容されている。換気コントローラ３６は、ＣＰＵ等のプロセッサ、ＲＡＭ、ＲＯＭ等のメモリを備えたマイクロコンピュータ等からなる。換気コントローラ３６は、メモリにインストールされたプログラムをプロセッサが実行することによって、所定の機能を発揮する。換気コントローラ３６は、空気調和機１１の空調コントローラ２４に通信可能に接続されている。
【００３４】
換気コントローラ３６は、排気ファン３３、給気ファン３４、及び開閉機構３５の動作を制御することによって、通常の室内空間Ｓ１の換気のために行う第１換気運転と、冷媒漏洩に対応した第２換気運転とを切り替えて実行する。
第１換気運転は、図２〜図４に示すように、排気ファン３３及び給気ファン３４を駆動し、開閉機構３５の給気用ダンパ５５を第１態様に切り替えることによって行う。これにより、室内空間Ｓ１からの還気ＲＡが室外空間Ｓ２に排出されるととともに、室外空間Ｓ２からの外気ＯＡが室内空間Ｓ１に供給され、室内空間Ｓ１の換気が行われる。さらに室内空間Ｓ１からの還気ＲＡと室外空間Ｓ２からの外気ＯＡとの間で顕熱及び潜熱の交換が行われ、室内空間Ｓ１における温度及び湿度の変化を抑制することができる。
【００３５】
冷媒漏洩に対応した第２換気運転は、空気調和機１１における冷媒が漏洩したときに行われる運転である。室内機２２に設けられた冷媒センサ２６が、冷媒の漏洩を検出すると、その検出信号は空調コントローラ２４に入力される。空調コントローラ２４は、冷媒の漏洩が発生したことを示す情報（冷媒漏洩情報）を換気コントローラ３６に送信し、この冷媒漏洩情報に基づいて換気コントローラ３６が、排気ファン３３、給気ファン３４、及び開閉機構３５の動作を制御する。
【００３６】
具体的に、換気コントローラ３６は、冷媒漏洩が発生したときに、排気ファン３３及び給気ファン３４を駆動し、給気用ダンパ５５を第２態様に切り替える。排気ファン３３及び給気ファン３４がすでに駆動されていた場合には、そのまま駆動を継続する。これにより、図６及び図７に示すように、室内空間Ｓ１からの還気ＲＡが第１排気風路４６を通り、全熱交換器３２を経由して室外空間Ｓ２に排出される。室外空間Ｓ２からの外気ＯＡは、第２給気風路４８を通り、全熱交換器３２を経由せずに室内空間Ｓ１に供給される。
【００３７】
室内機２２から冷媒が漏洩すると、換気装置１２は、冷媒を含む空気を還気取入口４１からケーシング３１内に取り入れ、全熱交換器３２を通して排気吹出口４２から排出する。全熱交換器３２の仕切板３２ａは、冷媒を透過する性質を有しているので、仮に、第１換気運転のように外気取入口４３から取り入れられた外気ＯＡが全熱交換器３２を通過して室内空間Ｓ１に給気ＳＡとして供給されたとすると、全熱交換器３２で仕切板３２ａを透過した冷媒が給気ＳＡとともに室内空間Ｓ１に戻ってしまい、室内空間Ｓ１における冷媒の濃度を低下させることが困難となる。本実施形態では、第２換気運転を行うことにより、第１給気風路４７ではなく、第２給気風路４８を用いて室外空間Ｓ２からの外気ＯＡを全熱交換器３２を経由せずに室内空間Ｓ１に供給することができ、室内空間Ｓ１への冷媒の戻りを抑制し、室内空間Ｓ１における冷媒の濃度を短時間に低下させることができる。
【００３８】
空気調和機１１は、冷媒センサ２６が冷媒の漏洩を検出すると、冷凍サイクル運転を停止する。このとき、空気調和機１１は、室内機２２のファンを停止してもよいし、駆動してもよい。室内機２２のファンを駆動することによって、室内空間Ｓ１における冷媒の拡散を促進することができる。
【００３９】
［第２の実施形態］
図８は、第２の実施形態に係る空気調和システムの、第２換気運転を行う換気装置を上から見た概略的な断面説明図である。
本実施形態の換気装置１２は、第１の実施形態における第２給気風路４８に代えて、第２排気風路４９を備えている。第２排気風路４９は、還気取入口４１と排気吹出口４２との間に形成され、両者を連通している。第２排気風路４９と、上流側排気風路４６ａ及び全熱交換器３２とは、隔壁５４によって区画されている。第２排気風路４９の下流側は、下流側排気風路４６ｂと合流している。以上より、第２排気風路４９は、室内空間Ｓ１と室外空間Ｓ２とを全熱交換器３２を経由せずに連通している。
【００４０】
開閉機構３５は、第１排気風路４６と第２排気風路４９とを切り替えて開閉する排気用ダンパ（排気用開閉機構）５６を有している。排気用ダンパ５６は、例えば、隔壁５４に揺動自在に取り付けられている。排気用ダンパ５６は、第１排気風路４６を開いて還気取入口４１と連通させ、かつ第２排気風路４９を還気取入口４１に対して閉じる第１態様と、第２排気風路４９を開いて還気取入口４１と連通させ、かつ第１排気風路４６を還気取入口４１に対して閉じる第２態様とを切り替える。
【００４１】
本実施形態の換気装置１２は、通常の第１換気運転を行う場合には、排気用ダンパ５６を第１態様に切り替え、図２〜図４に示す形態で全熱交換器３２において顕熱及び潜熱の交換を行いながら換気を行う。
冷媒の漏洩が検出されたとき、換気装置１２は、図８に示すように、排気用ダンパ５６を第２態様に切り替えて第２換気運転を行う。この場合、外気取入口４３からケーシング３１内に取り入れられた外気ＯＡは全熱交換器３２を通り、給気吹出口４４から給気ＳＡとして室内に供給される。還気取入口４１からケーシング３１に取り入れられた室内空間Ｓ１からの還気ＲＡは、第２排気風路４９を通り、全熱交換器３２を経由せずに排気吹出口４２から室外空間Ｓ２に排出される。したがって、外気取入口４３から第１給気風路４７を通る第２の空気流Ｆ２と、還気取入口４１から第２排気風路４９を通る空気流（第４の空気流）Ｆ４との間で全熱交換は行われず、漏洩した冷媒が室内空間Ｓ１に戻ってしまうことも無い。そのため、換気によって短時間に室内空間Ｓ１の冷媒濃度を低下させることができる。
【００４２】
［第３の実施形態］
図９は、第３の実施形態に係る空気調和システムの、第２換気運転を行う換気装置を上から見た概略的な断面説明図である。
本実施形態の換気装置１２は、第１の実施形態で説明した第２給気風路４８と、第２の実施形態で説明した第２排気風路４９との双方を備えている。換気装置１２は、開閉機構３５として、第２給気風路４８に対応する給気用ダンパ５５と、第２排気風路４９に対応する排気用ダンパ５６とを備えている。
【００４３】
本実施形態の換気装置１２は、通常の第１換気運転を行う場合には、各ダンパ５５，５６を第１態様に切り替え、図２〜図４に示す形態で全熱交換器３２において顕熱及び潜熱の交換を行いながら換気を行う。
冷媒センサ２６によって冷媒の漏洩が検出されたとき、換気装置１２は、図９に示すように、各ダンパ５５，５６を第２態様に切り替えて第２換気運転を行う。この場合、外気取入口４３からケーシング３１内に取り入れられた外気ＯＡは、第２給気風路４８を通って室内空間Ｓ１に供給され、還気取入口４１からケーシング３１内に取り入れられた還気ＲＡは、第２排気風路４９を通って室外空間Ｓ２に排出される。
【００４４】
したがって、外気取入口４３から第２給気風路４８を通る第３の空気流Ｆ３と、還気取入口４１から第２排気風路４９と通る第４の空気流Ｆ４とは、いずれも全熱交換器３２を通過せず、両者の間で全熱交換は行わない。そのため、漏洩した冷媒が室内空間Ｓ１に戻ってしまうことも無く、換気によって短時間に室内空間Ｓ１の冷媒濃度を低下させることができる。
【００４５】
［実施形態の作用効果］
第１の実施形態における空気調和システム１０は、冷媒との熱交換により調和空気を生成し室内空間（空調対象空間内）Ｓ１に供給する空気調和機１１と、冷媒の漏れを検出する冷媒センサ２６と、室内空間Ｓ１の換気を行う換気装置１２と、換気装置１２を制御するコントローラ３６と、を備える。換気装置１２は、全熱交換器３２と、室内空間Ｓ１と室外空間（空調対象空間外）Ｓ２とを全熱交換器３２を経由して連通させる第１給気風路４７及び第１排気風路４６と、室内空間Ｓ１と室外空間Ｓ２とを全熱交換器３２を経由せずに連通させる第２給気風路４８と、第１給気風路４７及び第２給気風路４８を介して室外空間Ｓ２の空気を室内空間Ｓ１に供給する給気ファン３４と、第１排気風路４６を介して室内空間Ｓ１の空気を室外空間Ｓ２へ排出する排気ファン３３と、第１給気風路４７と前記第２給気風路４８とを切り替えて開閉する給気用ダンパ５５とを備える。換気コントローラ３６は、冷媒センサ２６が冷媒の漏洩を検出したとき、第２給気風路４８を開くように給気用ダンパ５５を制御する。
【００４６】
以上の構成により、空気調和機１１から漏れた冷媒は、室内空間Ｓ１からの還気ＲＡとともに第１排気風路４６を流れ、全熱交換器３２を経由して室外空間Ｓ２へ排出されるが、室外空間Ｓ２からの外気ＯＡは第２給気風路４８を流れて全熱交換器３２を経由しない。そのため、全熱交換器３２において冷媒が給気ＳＡとともに室内空間Ｓ１側へ戻ってしまうことがなく、短時間で室外空間Ｓ２へ冷媒を排出し、室内空間Ｓ１の冷媒濃度を低下させることができる。
【００４７】
第３の実施形態における空気調和システム１０は、第１の実施形態の空気調和システムに加えて、換気装置１２が、室内空間Ｓ１と室外空間Ｓ２とを全熱交換器３２を経由せずに連通させかつ排気ファン３３により室内空間Ｓ１の空気を室外空間Ｓ２へ排出させる第２排気風路４９と、第１排気風路４６及び第２排気風路４９を切り替えて開閉する排気用ダンパ５６とを備える。換気コントローラ３６は、冷媒センサ２６が冷媒の漏洩を検出したとき、第２排気風路４９を開くように排気用ダンパ５６を制御する。
このような構成によって、室内空間Ｓ１から室外空間Ｓ２への排気と、室外空間Ｓ２から室内空間Ｓ１への給気との双方が全熱交換器３２を経由しないので、室内空間Ｓ１から排出された冷媒が再び室内空間Ｓ１へ戻ってしまうことがなく、室外空間Ｓ２へ短時間に冷媒を排出することができる。
【００４８】
第３の実施形態の空気調和システム１０においては、空気調和機１１から漏洩した冷媒は、室内空間Ｓ１からの還気ＲＡとともに第２排気風路４９を通り、全熱交換器３２を経由せずに室外空間Ｓ２に排出されるので、全熱交換器３２に冷媒が付着して残留することがない。そのため、第２換気運転の終了後に、全熱交換器３２から冷媒を取り除くための措置（全熱交換器３２の交換、メンテナンス等）を行うことなく、通常の第１換気運転に復帰することができる。
【００４９】
第２の実施形態における空気調和システム１０は、冷媒との熱交換により調和空気を生成し室内空間Ｓ１に供給する空気調和機１１と、冷媒の漏れを検出する冷媒センサ２６と、室内空間Ｓ１の換気を行う換気装置１２と、換気装置１２を制御する換気コントローラ３６と、を備える。換気装置１２は、全熱交換器３２と、室内空間Ｓ１と室外空間Ｓ２とを全熱交換器３２を経由して連通させる第１給気風路４７及び第１排気風路４６と、室内空間Ｓ１と室外空間Ｓ２とを全熱交換器３２を経由せずに連通させる第２排気風路４９と、第１給気風路４７を介して室外空間Ｓ２の空気を室内空間Ｓ１に供給する給気ファン３４と、第１排気風路４６及び第２排気風路４９を介して室内空間Ｓ１の空気を室外空間Ｓ２へ排出する排気ファン３３と、第１排気風路４６と第２排気風路４９とを切り替えて開閉する排気用ダンパ５６と、を備える。コントローラ３６は、冷媒センサ２６が冷媒の漏洩を検出したとき、第２排気風路４９を開くように排気用ダンパ５６を制御する。
【００５０】
以上の構成により、換気装置１２は、室外空間Ｓ２から全熱交換器３２を経由して室内空間Ｓ１へ給気するが、空気調和機１１から漏れた冷媒は、室内空間Ｓ１の空気とともに第２排気風路４９を流れ、全熱交換器３２を経由せずに室外空間Ｓ２へ排出されるので、全熱交換器３２において冷媒が給気とともに室内空間Ｓ１側へ戻ってしまうことがなく、短時間で室外空間Ｓ２へ冷媒を排出し、室内空間Ｓ１の冷媒濃度を低下させることができる。
【００５１】
第２の実施形態の空気調和システム１０においては、空気調和機１１から漏洩した冷媒は、室内空間Ｓ１からの還気ＲＡとともに第２排気風路４９を通り、全熱交換器３２を経由せずに室外空間Ｓ２に排出されるので、全熱交換器３２に冷媒が付着して残留することがない。そのため、第２換気運転の終了後に、全熱交換器３２から冷媒を取り除くための措置（全熱交換器３２の交換、メンテナンス等）を行うことなく、通常の第１換気運転に復帰することができる。
【００５２】
なお、本開示は、以上の例示に限定されるものではなく、特許請求の範囲によって示され、特許請求の範囲と均等の意味及び範囲内でのすべての変更が含まれることが意図される。
例えば、冷媒センサ２６は、換気装置１２に備えられていてもよく、冷媒センサ２６が冷媒の漏れを検出したときに、空気調和機１１からの指示によらずに換気装置１２が単独で第２の換気運転を行ってもよい。
換気装置１２は、空気調和機１１のコントローラ２４によって動作が制御されてもよい。
【符号の説明】
【００５３】
１０    ：空気調和システム
１１    ：空気調和機
１２    ：換気装置
２６    ：冷媒センサ
３２    ：全熱交換器
３３    ：排気ファン
３４    ：給気ファン
３６    ：換気コントローラ
４６    ：第１排気風路
４７    ：第１給気風路
４８    ：第２給気風路
４９    ：第２排気風路
５５    ：給気用ダンパ（給気用開閉機構）
５６    ：排気用ダンパ（排気用開閉機構）
Ｓ１    ：室内空間
Ｓ２    ：室外空間
【図１】
2020186820.tif 000003
【図２】
2020186820.tif 000004
【図３】
2020186820.tif 000005
【図４】
2020186820.tif 000006
【図５】
2020186820.tif 000007
【図６】
2020186820.tif 000008
【図７】
2020186820.tif 000009
【図８】
2020186820.tif 000010
【図９】
2020186820.tif 000011